(57)【特許請求の範囲】
【請求項１】
ワイヤレス通信システム内の加入者局によってアップリンク帯域をリクエストするための方法であって、
送信される少なくとも１つの次のリクエストメッセージのための少なくとも１つのアップリンク割当のために帯域予約を含むリクエストメッセージを送信すること、前記送信されるリクエストメッセージは、送信される複数の次のリクエストメッセージのための前記帯域予約を指定する帯域予約ブックを含む、と、
レスポンスメッセージと、前記少なくとも１つの次のリクエストメッセージのための少なくとも１つのアップリンク割当とを受信することと、
前記レスポンスメッセージによって受信された前記少なくとも１つのアップリンク割当にしたがって、前記少なくとも１つの次のリクエストメッセージを送信することと
を具備する方法。
【請求項２】
前記帯域予約ブックは、性能ネゴシエーション・ステージの間に、前記リクエストメッセージ内で送信される、請求項１記載の方法。
【請求項３】
前記少なくとも１つのアップリンク割当は、一またはそれ以上のダウンリンク・サブフレーム内の少なくとも１つのＵＬ−ＭＡＰメッセージによって受信される、請求項１記載の方法。
【請求項４】
前記帯域予約は、前記少なくとも１つの次のリクエストメッセージを送信するために要求されるバイト数を含む、請求項１記載の方法。
【請求項５】
前記帯域予約は、タイプ・レングス・バリュー（ＴＬＶ）形式を用いる前記リクエストメッセージのペイロードに埋め込まれる、請求項１記載の方法。
【請求項６】
ワイヤレス通信システム内の加入者局へのアップリンク帯域を割当てるための方法であって、
送信される少なくとも１つの次のリクエストメッセージのための少なくとも１つのアップリンク割当のために帯域予約を含むリクエストメッセージを受信すること、前記受信されるリクエストメッセージは、送信される次のリクエストメッセージの組のための前記帯域予約を指定する帯域予約ブックを含む、と、
レスポンスメッセージと、前記少なくとも１つの次のリクエストメッセージのための少なくとも１つのアップリンク割当とを送信することと、
前記レスポンスメッセージによって送信された前記少なくとも１つのアップリンク割当にしたがって、前記少なくとも１つの次のリクエストメッセージを受信することと
を具備する方法。
【請求項７】
前記帯域予約ブックは、性能ネゴシエーション・ステージの間に、前記リクエストメッセージ内で受信される、請求項６記載の方法。
【請求項８】
前記少なくとも１つのアップリンク割当は、一またはそれ以上のダウンリンク・サブフレーム内の少なくとも１つのＵＬ−ＭＡＰメッセージによって送信される、請求項６記載の方法。
【請求項９】
前記帯域予約は、前記少なくとも１つの次のリクエストメッセージを送信するために要求されるバイト数を含む、請求項６記載の方法。
【請求項１０】
前記レスポンスメッセージ及びアップリンク割当は、同じフレームで送信される、請求項６記載の方法。
【請求項１１】
ワイヤレス通信システム内の加入者局によってアップリンク帯域をリクエストするための装置であって、
送信される少なくとも１つの次のリクエストメッセージのための少なくとも１つのアップリンク割当のために帯域予約を含むリクエストメッセージを送信するための論理、前記送信されるリクエストメッセージは、送信される複数の次のリクエストメッセージのための前記帯域予約を指定する帯域予約ブックを含む、と、
レスポンスメッセージと、前記少なくとも１つの次のリクエストメッセージのためのアップリンク割当とを受信するための論理と、
前記レスポンスメッセージによって受信された前記少なくとも１つのアップリンク割当にしたがって、前記少なくとも１つの次のリクエストメッセージを送信するための論理と
を具備する装置。
【請求項１２】
前記帯域予約ブックは、性能ネゴシエーション・ステージの間に、前記リクエストメッセージ内で送信される、請求項１１記載の装置。
【請求項１３】
前記少なくとも１つのアップリンク割当は、一またはそれ以上のダウンリンク・サブフレーム内の少なくとも１つのＵＬ−ＭＡＰメッセージによって受信される、請求項１１記載の装置。
【請求項１４】
前記帯域予約は、前記少なくとも１つの次のリクエストメッセージを送信するために要求されるバイト数を含む、請求項１１記載の装置。
【請求項１５】
前記帯域予約は、タイプ・レングス・バリュー（ＴＬＶ）形式を用いて前記リクエストメッセージのペイロードに埋め込まれる、請求項１１記載の装置。
【請求項１６】
ワイヤレス通信システム内の加入者局へのアップリンク帯域を割当てるための装置であって、
送信される少なくとも１つの次のリクエストメッセージのための少なくとも１つのアップリンク割当のために帯域予約を含むリクエストメッセージを受信するための論理、前記リクエストメッセージは、送信される次のリクエストメッセージの組のための前記帯域予約を指定する帯域予約ブックを含む、と、
レスポンスメッセージと、前記少なくとも１つの次のリクエストメッセージのために少なくとも１つのアップリンク割当とを送信するための論理と、
前記レスポンスメッセージによって送信された前記少なくとも１つのアップリンク割当にしたがって、前記少なくとも１つの次のリクエストメッセージを受信するための論理と
を具備する装置。
【請求項１７】
前記帯域予約ブックは、性能ネゴシエーション・ステージの間に、前記リクエストメッセージ内で受信される、請求項１６記載の装置。
【請求項１８】
前記少なくとも１つのアップリンク割当は、一またはそれ以上のダウンリンク・サブフレーム内の少なくとも１つＵＬ−ＭＡＰメッセージによって送信される、請求項１６記載の装置。
【請求項１９】
前記帯域予約は、前記少なくとも１つの次のリクエストメッセージを送信するために要求されるバイト数を含む、請求項１６記載の装置。
【請求項２０】
前記レスポンスメッセージ及びアップリンク割当は、同じフレームで送信される、請求項１６記載の装置。
【請求項２１】
ワイヤレス通信システム内の加入者局によってアップリンク帯域をリクエストするための装置であって、
送信される少なくとも１つの次のリクエストメッセージのための少なくとも１つのアップリンク割当のために帯域予約を含むリクエストメッセージを送信するための手段、前記送信されるリクエストメッセージは、送信される複数の次のリクエストメッセージについての帯域予約を指定する帯域予約ブックを含む、と、
レスポンスメッセージと、前記少なくとも１つの次のリクエストメッセージのための少なくとも１つのアップリンク割当とを受信するための手段と、
前記レスポンスメッセージによって受信された少なくとも１つのアップリンク割当にしたがって、前記少なくとも１つの次のリクエストメッセージを送信するための手段と
を具備する装置。
【請求項２２】
前記帯域予約ブックは、性能ネゴシエーション・ステージの間に、前記リクエストメッセージ内で送信される、請求項２１記載の装置。
【請求項２３】
前記少なくとも１つのアップリンク割当は、一またはそれ以上のダウンリンク・サブフレーム内の少なくとも１つのＵＬ−ＭＡＰメッセージによって受信される、請求項２１記載の装置。
【請求項２４】
前記帯域予約は、前記少なくとも１つの次のリクエストメッセージを送信するために要求されるバイト数を含む、請求項２１記載の装置。
【請求項２５】
前記帯域予約は、タイプ・レングス・バリュー（ＴＬＶ）形式を用いて前記リクエストメッセージのペイロードに埋め込まれる、請求項２１記載の装置。
【請求項２６】
ワイヤレス通信システム内の加入者局へのアップリンク帯域を割当てるための装置であって、
送信される次のリクエストメッセージのための少なくとも１つのアップリンク割当のために帯域予約を含むリクエストメッセージを受信するための手段、前記受信されるリクエストメッセージは、送信されるべき次のリクエストメッセージの組のための前記帯域予約を指定する帯域予約ブックを含む、と、
レスポンスメッセージと、前記少なくとも１つの次のリクエストメッセージのために少なくとも１つのアップリンク割当とを送信するための手段と、
前記レスポンスメッセージによって送信された前記少なくとも１つのアップリンク割当にしたがって、前記少なくとも１つの次のリクエストメッセージを受信するための手段と
を具備する装置。
【請求項２７】
前記帯域予約ブックは、性能ネゴシエーション・ステージの間に、前記リクエストメッセージ内で受信される、請求項２６記載の装置。
【請求項２８】
前記少なくとも１つのアップリンク割当は、一またはそれ以上のダウンリンク・サブフレーム内の少なくとも１つのＵＬ−ＭＡＰメッセージによって送信される、請求項２６記載の装置。
【請求項２９】
前記帯域予約は、前記少なくとも１つの次のリクエストメッセージを送信するために要求されるバイト数を含む、請求項２６記載の装置。
【請求項３０】
前記レスポンスメッセージ及びアップリンク割当は、同じフレームで送信される、請求項２６記載の装置。
【請求項３１】
ワイヤレス通信システム内の加入者局によってアップリンク帯域をリクエストするためのコンピュータ可読記憶媒体であって、前記コンピュータ可読記憶媒体はそこに記憶される命令を有し、前記命令が一またはそれ以上のプロセッサによって実行可能であり、
前記命令は、
送信される少なくとも１つの次のリクエストメッセージのための少なくとも１つのアップリンク割当のために帯域予約を含むリクエストメッセージを送信するための命令、前記送信されるリクエストメッセージは、送信される複数の次のリクエストメッセージのための前記帯域予約を指定する帯域予約ブックを含む、と、
レスポンスメッセージと、前記少なくとも１つの次のリクエストメッセージのための少なくとも１つのアップリンク割当とを受信するための命令と、
前記レスポンスメッセージによって受信された前記少なくとも１つのアップリンク割当にしたがって、前記少なくとも１つの次のリクエストメッセージを送信するための命令と
を具備する、コンピュータ可読記憶媒体。
【請求項３２】
前記帯域予約ブックは、性能ネゴシエーション・ステージの間に、前記リクエストメッセージ内で送信される、請求項３１記載のコンピュータ可読記憶媒体。
【請求項３３】
前記少なくとも１つのアップリンク割当は、一またはそれ以上のダウンリンク・サブフレーム内の少なくとも１つのＵＬ−ＭＡＰメッセージによって受信される、請求項３１記載のコンピュータ可読記憶媒体。
【請求項３４】
前記帯域予約は、前記少なくとも１つの次のリクエストメッセージを送信するために要求されるバイト数を含む、請求項３１記載のコンピュータ可読記憶媒体。
【請求項３５】
前記帯域予約は、タイプ・レングス・バリュー（ＴＬＶ）形式を用いて前記リクエストメッセージのペイロードに埋め込まれる、請求項３１記載のコンピュータ可読記憶媒体。
【請求項３６】
ワイヤレス通信システム内の加入者局へのアップリンク帯域を割当てるためのコンピュータ可読記憶媒体であって、前記コンピュータ可読記憶媒体はそこに記憶される命令を有し、前記命令が一またはそれ以上のプロセッサによって実行可能であり、
前記命令は、
送信される次のリクエストメッセージのための少なくとも１つのアップリンク割当のために帯域予約を含むリクエストメッセージを受信するための命令、前記受信されるリクエストメッセージは、送信される次のリクエストメッセージの組のための前記帯域予約を指定する帯域予約ブックを含む、と、
レスポンスメッセージと、前記少なくとも１つの次のリクエストメッセージのための少なくとも１つのアップリンク割当とを送信するための命令と、
前記レスポンスメッセージによって送信された前記少なくとも１つのアップリンク割当にしたがって、前記少なくとも１つの次のリクエストメッセージを受信するための命令と
を具備する、コンピュータ可読記憶媒体。
【請求項３７】
前記帯域予約ブックは、性能ネゴシエーション・ステージの間に、前記リクエストメッセージ内で受信される、請求項３６記載のコンピュータ可読記憶媒体。
【請求項３８】
前記少なくとも１つのアップリンク割当は、一またはそれ以上のダウンリンク・サブフレーム内の少なくとも１つのＵＬ−ＭＡＰメッセージによって送信される、請求項３６記載のコンピュータ可読記憶媒体。
【請求項３９】
前記帯域予約は、前記少なくとも１つの次のリクエストメッセージを送信するために要求されるバイト数を含む、請求項３６記載のコンピュータ可読記憶媒体。
【請求項４０】
前記レスポンスメッセージ及びアップリンク割当は、同じフレームで送信される、請求項３６記載のコンピュータ可読記憶媒体。
【発明の詳細な説明】
【優先権の主張】
【０００１】
本願は、本願の譲受人に譲渡され、参照によって本願に明確に組込まれた２００８年１１月６日出願の「ＭＡＰに基づく要求割当多元接続ネットワークにおける高速ネットワーク・エントリ及びネットワーク・リエントリのための帯域予約」と題された、米国特許仮出願第６１／１１２，１４２号に対する優先権を主張する。
【技術分野】
【０００２】
本開示は、一般的に通信に関連し、特に、ｍａｐに基づく要求割当多元接続（ＤＡＭＡ）通信システムのためのネットワーク・エントリ及びネットワーク・リエントリ遅延を減らすことに関する。
【発明の概要】
【０００３】
ある実施形態は、ワイヤレス通信システム内の加入者局によってアップリンク帯域を要求するための方法を提供する。方法は、一般的に、送信される少なくとも１つの次のリクエストメッセージのための少なくとも１つのアップリンク割当のために帯域予約を含むリクエストメッセージを送信することと、レスポンスメッセージと少なくとも１つの次のリクエストメッセージのための少なくとも１つのアップリンク割当とを受信することと、レスポンスメッセージによって受信された少なくとも１つのアップリンク割当にしたがって、少なくとも１つの次のリクエストメッセージを送信することとを含む。
【０００４】
ある実施形態は、ワイヤレス通信システム内の加入者局にアップリンク帯域を割当てるための方法を提供する。方法は、一般的に、送信される次のリクエストメッセージのための少なくとも１つのアップリンク割当のために帯域予約を含むリクエストメッセージを受信することと、レスポンスメッセージと少なくとも１つの次のリクエストメッセージのための少なくとも１つのアップリンク割当とを送信することと、レスポンスメッセージによって送信された少なくとも１つのアップリンク割当にしたがって、少なくとも１つの次のリクエストメッセージを受信することとを含む。
【０００５】
ある実施形態は、ワイヤレス通信システム内の加入者局によってアップリンク帯域を要求するための装置を提供する。装置は、一般的に、送信される少なくとも１つの次のリクエストメッセージのための少なくとも１つのアップリンク割当のために帯域予約を含むリクエストメッセージを送信するための論理と、レスポンスメッセージと少なくとも１つの次のリクエストメッセージについてのアップリンク割当とを受信するための論理と、レスポンスメッセージによって受信された少なくとも１つのアップリンク割当にしたがって、少なくとも１つの次のリクエストメッセージを送信するための論理とを含む。
【０００６】
ある実施形態は、ワイヤレス通信システム内の加入者局にアップリンク帯域を割当てるための装置を提供する。装置は、一般的に、送信される次のリクエストメッセージのための少なくとも１つアップリンク割当のために帯域予約を含むリクエストメッセージを受信するための論理と、レスポンスメッセージと少なくとも１つの次のリクエストメッセージのための少なくとも１つのアップリンク割当とを送信するための論理と、レスポンスメッセージによって送信された少なくとも１つのアップリンク割当にしたがって、少なくとも１つの次のリクエストメッセージを受信するための論理とを含む。
【０００７】
ある実施形態は、ワイヤレス通信システム内の加入者局によってアップリンク帯域を要求するための装置を提供する。装置は、一般的に、送信される少なくとも１つの次のリクエストメッセージのための少なくとも１つのアップリンク割当のために帯域予約を含むリクエストメッセージを送信するための手段と、レスポンスメッセージと少なくとも１つの次のリクエストメッセージのための少なくとも１つのアップリンク割当とを受信するための手段と、レスポンスメッセージによって受信された少なくとも１つのアップリンク割当にしたがって、少なくとも１つの次のリクエストメッセージを送信するための手段とを含む。
【０００８】
ある実施形態は、ワイヤレス通信システム内の加入者局にアップリンク帯域を割当てるための装置を提供する。装置は、一般的に、送信される次のリクエストメッセージのための少なくとも１つのアップリンク割当のために帯域予約を含むリクエストメッセージを受信するための手段と、レスポンスメッセージと少なくとも１つの次のリクエストメッセージのための少なくとも１つのアップリンク割当とを送信するための手段と、レスポンスメッセージによって送信された少なくとも１つのアップリンク割当にしたがって、少なくとも１つの次のリクエストメッセージを受信するための手段とを含む。
【０００９】
本開示のある実施形態は、ワイヤレス通信システム内の加入者局によってアップリンク帯域をリクエストするためのコンピュータプログラム製品を提供する。このコンピュータプログラム製品は、そこに記憶される命令を有するコンピュータ可読媒体を備え、命令は、一またはそれ以上のプロセッサによって実行可能である。命令は、一般的に、送信される少なくとも１つの次のリクエストメッセージのための少なくとも１つのアップリンク割当のために帯域予約を含むリクエストメッセージを送信するための命令と、レスポンスメッセージと少なくとも１つの次のリクエストメッセージのための少なくとも１つのアップリンク割当とを受信するための命令と、レスポンスメッセージによって受信された少なくとも１つのアップリンク割当にしたがって、少なくとも１つの次のリクエストメッセージを送信するための命令とを含む。
【００１０】
本開示のある実施形態は、ワイヤレス通信システム内の加入者局へのアップリンク帯域を割当てるためのコンピュータプログラム製品を提供する。このコンピュータプログラム製品は、そこに記憶される命令を有するコンピュータ可読媒体を備え、命令は、一またはそれ以上のプロセッサによって実行可能である。命令は、一般的に、送信される次のリクエストメッセージのための少なくとも１つのアップリンク割当のために帯域予約を含むリクエストメッセージを受信するための命令と、レスポンスメッセージと少なくとも１つの次のリクエストメッセージのための少なくとも１つのアップリンク割当とを送信するための命令と、レスポンスメッセージによって送信された少なくとも１つのアップリンク割当にしたがって、少なくとも１つの次のリクエストメッセージを受信するための命令とを含む。
【図面の簡単な説明】
【００１１】
本開示の態様及び実施形態は、参照符号が終始相応して識別する図に関連して得られる、以下に示す発明を実施するための形態からより明白になるだろう。
【図１】図１は、本明細書に示すある実施形態にしたがって、典型的なワイヤレス通信システムを例証する。
【図２】図２は、本明細書に示すある実施形態にしたがって、典型的なワイヤレスネットワーク環境を例証する。
【図３】図３は、本明細書に示すある実施形態にしたがって、帯域予約を要求するための加入者局についての動作例を例証する。
【図３Ａ】図３Ａは、図３に示される動作を実行可能なコンポーネント例を例証する。
【図４】図４は、アップリンク割当を含むレスポンスメッセージを送る基地局について動作例を例証する。
【図４Ａ】図４Ａは、図４に示される動作を実行可能なコンポーネント例を例証する。
【図５】図５は、本明細書に示すある実施形態にしたがって、相互的な帯域リクエスト予約（ＮＢＷ-ＲＳＶＰ）についてメッセージ交換例を例証する。
【図６】図６は、本明細書に示すある実施形態にしたがって、非相互的な帯域リクエスト予約（ＮＢＷ-ＲＳＶＰ）についてメッセージ交換例を例証する。
【発明を実施するための形態】
【００１２】
ある実施形態が、図を参照して、本明細書に記載される。参照数字は、終始構成要素を参照するために用いられる。以下の記載において、説明の目的のために、多数の明確な詳細が、ある実施形態の完全な理解を提供するために示される。しかしながら、それはこのような実施形態が明確な詳細なしに実行されうることであってもよい。その他の例において、既知の構成及びデバイスは、ある実施形態の記載を促進するために、ブロック図形式で示される。
【００１３】
要求割当多元接続（ＤＡＭＡ）技術を利用する通信システムにおいて、基地局（ＢＳ）は加入者局（ＳＳ）から発したリクエストに基づく回路、通信チャネル、又は帯域を割当てる。ｍａｐに基づくＤＡＭＡシステムにおいて、ＷｉＭＡＸ（Worldwide Interoperability for Microwave Access）及びＤＯＣＩＳ（Data over cable service interface specification）のようなＤＡＭＡシステムにおいて、ＢＳは、ＳＳにダウンリンク（ＤＬ）及びアップリンク（ＵＬ）リソース割当についての情報を送るためにＤＬ-ＭＡＰ及びＵＬ-ＭＡＰメッセージを用いる。ＤＬ-ＭＡＰは、スタート場所、割当てられたサブチャネル、及びダウンリンク・データ・バーストのための送信の持続時間のような情報を含んでもよい。ＵＬ-ＭＡＰは、割当てられたサブチャネル、スタート場所、及びアップリンク割当の長さのような情報を含んでもよい。
【００１４】
ＭＡＰに基づくＤＡＭＡシステムにおいて、ＳＳは、ＢＳにマネジメントパケット又はデータを送る前に、帯域リクエスト（ＢＲ）メッセージを送るべきである。ＵＧＳ（未承諾許可サービス）ＱｏＳ（クオリティ・オブ・サービス）クラスは、ＷｉＭＡＸネットワークにおいて、帯域リクエスト要求を除くことに注意すべきである。ＢＲメッセージを受信する上で、ＢＳは、利用可能な帯域リソースがある場合に、ＵＬ-ＭＡＰメッセージを通してＳＳに帯域許可（ＢＧ）を送る。
【００１５】
ＳＳが物理層によってＢＳと同期される場合、ＳＳは、データパケットを送受信可能である媒体アクセス制御（ＭＡＣ）層を備える複数のステージを通り抜けるべきである。ＭＡＣ層ステージは、符号分割多元接続（ＣＤＭＡ）レンジング、イニシャル・レンジング、性能ネゴシエーション、ソース・キー交換（換言すると、秘密鍵管理）、レジストレーション、及びダイナミック・サービス・フローを含んでもよい。これら初期手順は、ネットワーク・エントリ（ＮＥ）処理の一部である。同様に、ネットワーク・リエントリ（ＮＲＥ）手順は、ハンドオーバー（ＨＯ）の間に、又は、アイドルモードが終了する後に、ネットワークにリエントリするために要求される。
【００１６】
ネットワーク・エントリ及びネットワーク・リエントリ手順において各ステージは、ＭＡＣマネジメントメッセージ交換を伴ってもよい。更に、各ネットワーク・エントリ及びネットワーク・リエントリ・ステージの間のこれらマネジメントメッセージを送信する前に、ＳＳは帯域リクエストを送るべきであり、帯域許可を待つべきである。それゆえに、トータル・ネットワーク・エントリ遅延は、プロトコル・プロセス・タイムだけでなく、各ステージにおける帯域リクエスト及び帯域許可潜在からなる。
【００１７】
ネットワーク・エントリ・初期化における長い遅延は、接続ネットワークサービスを待っているＳＳにとって長い待ち時間となる。同様に、ＳＳが、ターゲットＢＳにハンドオーバーを実行すること、又は、アイドルモードから終了することのどちらか一方である場合に、ネットワーク・リエントリ・初期化における長い遅延は、長いサービス中断期間の原因となる。ネットワーク・エントリ及びネットワーク・リエントリの潜在は、ユーザ経験の点からネットワークサービスの品質に不利に作用するかもしれない。
【００１８】
典型的なワイヤレス通信システム
本明細書に記載される技術は、直交多重送信スキームに基づく通信システムを含む、様々なブロードバンド・ワイヤレス通信システムのために用いられてもよい。このような通信システムの例は、直交周波数分割多元接続（ＯＦＤＭＡ）システム、単一キャリア周波数分割多元接続（ＳＣ-ＦＤＭＡ）システム等を含む。ＯＦＤＭＡシステムは、全システム帯域を複数の直交サブキャリアに分ける変調技術である直交周波数分割多重送信（ＯＦＤＭ）を利用する。これらサブキャリアは、トーン（tone）、ビン（bin）等と呼ばれてもよい。ＯＦＤＭにおいて、各サブキャリアはデータを個々に変調されてもよい。ＳＣ-ＦＤＭＡシステムは、システム帯域を介して配布されるサブキャリア上で送信するためのインタリーブされたＦＤＭＡ（ＩＦＤＭＡ）、隣接したサブキャリアのブロック上で送信するためのローカライズされたＦＤＭＡ（ＬＦＤＭＡ）、又は隣接したサブキャリアの複数のブロック上で送信するためのエンハンスされたＦＤＭＡ（ＥＦＤＭＡ）を利用してもよい。概して、変調シンボルは、ＯＦＤＭで周波数領域内に、及び、ＳＣ-ＦＤＭＡで時間領域内に送られる。
【００１９】
直交多重送信スキームに基づく通信システムの一例がＷｉＭＡＸシステムである。ＷｉＭＡＸ（Worldwide Interoperability for Microwave Accessを表す）は、長距離を通じての高処理能力ブロードバンド接続を提供する、規格に基づくブロードバンド・ワイヤレス技術である。今日、ＷｉＭＡＸの２つの主なアプリケーション、固定ＷｉＭＡＸ及びモバイルＷｉＭＡＸがある。固定ＷｉＭＡＸアプリケーションはポイント・トゥ・マルチポイントであり、例えば、家と会社とのブロードバンド接続が可能である。モバイルＷｉＭＡＸはＯＦＤＭ及びＯＦＤＭＡに基づき、ブロードバンド速度で十分な可動性のセルラーネットワークを提供する。
【００２０】
ＩＥＥＥ８０２．１６ｘは、固定及びモバイル・ブロードバンド・ワイヤレス接続（ＢＷＡ）システムのための無線インターフェースを定義するためのイマージング・スタンダード・オーガニゼーション（emerging standard organization）である。これら規格は、少なくとも４つの異なる物理層（ＰＨＹ）及び１つの媒体アクセス制御（ＭＡＣ）層を定義した。４つの物理層のうち、ＯＦＤＭ及びＯＦＤＭＡ物理層は、固定及びモバイルＢＷＡエリアのそれぞれにおいて最もポピュラーである。
【００２１】
図１は、本明細書に示すある実施形態にしたがって、典型的なワイヤレス通信システム１００を例証する。ワイヤレス通信システム１００は、ブロードバンド・ワイヤレス通信システムであってもよい。「ブロードバンド・ワイヤレス」という用語は、ワイヤレス、オーディオ、ビデオ、音声、インターネット、及び／または、データネットワーク接続を少なくとも提供する技術を指す。ワイヤレス通信システム１００は、一またはそれ以上のセル１０２のために通信を提供する。各セルは基地局１０４によって情報を提供される。基地局１０４は、基地局１０４によって情報を提供されるセル１０２の中のユーザ端末１０６と通信する固定局であってもよい。基地局１０４は、アクセスポイント、ノードＢ、又はいくつかのその他の専門用語と代わりに称されてもよい。
【００２２】
図１に示されるように、様々なユーザ端末１０６はワイヤレス通信システム１００にわたって分散される。ユーザ端末１０６は、固定（換言すると、静止した）、可動、又はどちらも可能であってもよい。ユーザ端末１０６は、リモート局、アクセス端末、端末、加入者ユニット、移動局、局、ユーザ機器等と代わりに称されてもよい。ユーザ端末１０６は、携帯電話、個人情報端末（ＰＤＡ）、ハンドヘルドデバイス、ワイヤレスモデム、オーディオ／ビデオ・プレーヤ、ラップトップ・コンピュータ、パーソナル・コンピュータ、その他のハンドヘルド通信デバイス、その他のハンドヘルド計算デバイス、衛星ラジオ、衛星測位システム等のような、パーソナル・ワイヤレス・デバイスであってもよい。様々なアルゴリズム及び方法が、ワイヤレス通信システム１００において、基地局１０４とユーザ端末１０６との間での送信のために用いられてもよい。例えば、信号は、ＯＦＤＭ／ＯＦＤＭＡ技術にしたがって、基地局１０４とユーザ端末１０６との間で送信されてもよいし、受信されてもよい。このような場合、ワイヤレス通信システム１００は、ＯＦＤＭ／ＯＦＤＭＡシステム１００と称されてもよい。
【００２３】
基地局１０４からユーザ端末１０６への送信を促進する通信リンクは、ダウンリンク１０８と称されてもよい。ユーザ端末１０６から基地局１０４への送信を促進する通信リンクは、アップリンク１１０と称されてもよい。また、ダウンリンク１０８は、順方向リンク又は順方向チャネルと称されてもよい。アップリンク１１０は、逆方向リンク又は逆方向チャネルと称されてもよい。セル１０２は、複数のセクタ１１２に分けられてもよい。セクタ１１２は、セル１０２の中の物理カバレッジエリアである。ＯＦＤＭ／ＯＦＤＭＡシステム１００の中の基地局１０４は、セル１０２の特定のセクタ１１２の中の電力の流れを集めるアンテナを利用してもよい。このようなアンテナは指向性アンテナと称されてもよい。
【００２４】
ある実施形態において、システム１００は、複数の入力・複数の出力（ＭＩＭＯ）通信システムであってもよい。更に、システム１００は、ＦＤＤ、ＴＤＤ等のような通信チャネル（例えば、順方向リンク１０８、逆方向リンク１１０等）を分けるために、任意のタイプのデュプレックス技術を十分に利用してもよい。チャネルは、ユーザ端末１０６とそれぞれの基地局１０４との間で制御データを送信するために提供されてもよい。
【００２５】
図２は、本明細書に示すある実施形態にしたがって、典型的なワイヤレスネットワーク環境２００を例証する。ワイヤレスネットワーク環境２００は、簡潔のために、１つの基地局２１０及び１つのモバイルデバイス２５０を描く。しかしながら、システム２００が一またはそれ以上の基地局、及び／または、一またはそれ以上のモバイルデバイスを含みうることは考慮される。追加の基地局、及び／または、モバイルデバイスは、本明細書に記載され、例証された基地局２１０や例証されたモバイルデバイス２５０と実質上同じであってもよい又は異なってもよい。加えて、基地局２１０及び／またはモバイルデバイス２５０は、これらの間のワイヤレス通信を促進するために本明細書に記載されるシステム、技術、構成、実施形態、態様、及び／または方法を用いうる。
【００２６】
基地局２１０において、多数のデータストリームのための伝送データは、データソース２１２から送信（ＴＸ）データプロセッサ２１４に提供される。ある実施形態において、各データストリームは、それぞれのアンテナを通じて、及び／または、複数のアンテナを通じて送信されうる。ＴＸデータプロセッサ２１４は、コード化されたデータを提供するためにデータストリームのために選択した特定のコーディング・スキームに基づいて、伝送データストリームをフォーマットし、コード化し、インタリーブする。
【００２７】
各データストリームのためにコード化されたデータは、例えば、直交周波数分割多重送信（ＯＦＤＭ）技術を用いて、パイロットデータを多重送信しうる。更に、又は、代わりに、パイロットシンボルは、周波数分割多重送信（ＦＤＭ）、時分割多重送信（ＴＤＭ）、または符号分割多重送信（ＣＤＭ）であってもよい。パイロットデータは、既知の様式で処理される典型的な既知のデータパターンであり、チャネル応答、又は、その他の通信パラメータ及び／または特性を評価するためにモバイルデバイス２５０で用いられうる。各データストリームのために多重送信されたパイロット及びコード化されたデータは、変調シンボルを提供するためにデータストリームのために選択した特定の変調スキーム（例えば、二層位相変調（ＢＰＳＫ）、四層位相変調（ＱＰＳＫ）、Ｍ層位相変調（Ｍ−ＰＳＫ）、Ｍ-四層振幅変調（Ｍ−ＱＡＭ））に基づいて変調（例えば、シンボルマップ）されうる。各データストリームのためのデータレート、コーディング及び変調は、プロセッサ２３０によって提供または実行される命令によって判定されうる。
【００２８】
データストリームのための変調シンボルは、（例えば、ＯＦＤＭについての）変調シンボルを更に処理しうるＴＸ ＭＩＭＯプロセッサ２２０に提供されうる。ＴＸ ＭＩＭＯプロセッサ２２０は、Ｎｔ送信機（ＴＭＴＲ）２２２ａ〜２２２ｔにＮｔ変調シンボルストリームを提供する。ある実施形態において、ＴＸ ＭＩＭＯプロセッサ２２０は、空間的な多重送信、多様性コード化、またはプレコーディング（換言すると、データストリームの変調シンボルに、及び送信されるシンボルからアンテナに適用されるウェイトをもつビームフォーミング）のような、あるマルチアンテナ技術を適用する。
【００２９】
各送信機２２２は、一またはそれ以上のアナログ信号を提供するためにそれぞれの変調シンボルストリームを受信及び処理し、かつ、ＭＩＭＯチャネルを通じての適切な送信のために変調された信号を提供するためのアナログ信号を更に調整する（例えば、増幅する、フィルタする、上位変換する等）。更に、送信機２２２ａ〜２２２ｔからのＮｔ変調信号は、それぞれＮｔアンテナ２２４ａ〜２２４ｔから送信される。
【００３０】
モバイルデバイス２５０において、送信された変調信号はＮｒアンテナ２５２ａ〜２５２ｒによって受信され、各アンテナ２５２からの受信信号はそれぞれの受信機（ＲＣＶＲ）２５４ａ〜２５４ｒに提供される。各受信機２５４は、それぞれの信号を調整し（例えば、フィルタし、増幅し、下位変換する等）、サンプルを提供するために調整信号をデジタル化し、対応する「受信」シンボルストリームを提供するためにサンプルを更に処理する。
【００３１】
受信機（ＲＸ）データプロセッサ２６０は、Ｎｔ「検出」シンボルストリームを提供するために特定の受信機処理技術に基づいて、Ｎｒ受信機２５４からＮｒ受信シンボルストリームを受信しうるし、処理しうる。ＲＸデータプロセッサ２６０は、データストリームのための伝送データをリカバーするために各検出シンボルストリームを復調しうるし、デインタリーブしうるし、デコードしうる、かつ、データシンク２６２に伝送データを提供する。ある実施形態において、モバイルデバイス２５０のために、ＲＸデータプロセッサ２６０による処理は、ＴＸ ＭＩＭＯプロセッサ２２０によって、及び、基地局２１０におけるＴＸデータプロセッサ２１４によって実行される一時的な処理であってもよい。
【００３２】
プロセッサ２７０は、上述したようにどのプレコーディング・マトリックスを利用するかを定期的に判定しうる。更に、プロセッサ２７０は、マトリックス・インデックス部分とランク・バリュー部分を備える、逆方向リンクメッセージを公式化しうる。逆方向リンクメッセージは、通信リンク及び／または受信データストリームに関する様々なタイプの情報を備えうる。逆方向リンクメッセージは、データソース２３６からの多数のデータストリームのために伝送データを受信する、ＴＸデータプロセッサ２３８によって処理され、変調器２８０によって変調され、送信機２５４ａ〜２５４ｒによって調整され、基地局２１０に戻って送信されうる。
【００３３】
基地局２１０において、モバイルデバイス２５０からの変調信号は、Ｎｔアンテナ２２４によって受信され、それぞれのＮｔ受信機２２２によって調整され、復調器２４０によって復調され、モバイルデバイス２５０によって送信される逆方向リンクメッセージを抽出するために、及び、データシンク２４４に逆方向リンクメッセージを提供するためにＲＸデータプロセッサ２４２によって処理される。更に、プロセッサ２３０は、ビームフォーミング・ウェイトを判定するためにどのプレコーディング・マトリックスを用いるかを判定するために、抽出されたメッセージを処理しうる。
【００３４】
プロセッサ２３０及び２７０は、それぞれ、基地局２１０及びモバイルデバイス２５０に動作を指示しうる（例えば、制御する、調整する、管理する等）。各プロセッサ２３０及び２７０は、プログラム・コード及びデータを記憶するメモリ２３２及び２７２に関連してもよい。プロセッサ２３０及び２７０は、それぞれ、アップリンク及びダウンリンクのための周波数及びインパルス応答評価を得るために計算を実行してもよい。全ての「プロセッサ」機能は、プロセッサモジュール間に移されてもよい。プロセッサモジュールはある実施形態において存在しなくてもよい、又は、本明細書に例証されない追加のプロセッサが存在してもよい。
【００３５】
メモリ２３２及び２７２（本明細書に開示された全てのデータを記憶するような）は、揮発性メモリ又は不揮発性メモリのどちらか一方であってもよい、又は揮発性と不揮発性部との両方を含んでもよい、かつ、固定、除去可能であってもよい、又は固定と除去可能部との両方を含んでもよい。限定ではなく、例証のために、不揮発性メモリは、読出し専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）又はフラッシュメモリを含んでもよい。揮発性メモリは、外部キャッシュメモリとして作動するランダムアクセスメモリ（ＲＡＭ）を含んでもよい。限定ではなく、例証のために、ＲＡＭは、同期型ＲＡＭ（ＳＲＡＭ）、ダイナミックＲＡＭ（ＤＲＡＭ）、同期型ＤＲＡＭ（ＳＤＲＡＭ）、ダブル・データ・レートＳＤＲＡＭ（ＤＤＲ ＳＤＲＡＭ）、エンハンスされたＳＤＲＡＭ（ＥＳＤＲＡＭ）、Ｓｙｎｃｈｌｉｎｋ（登録商標）ＤＲＡＭ（ＳＬＤＲＡＭ）及びｄｉｒｅｃｔ Ｒａｍｂｕｓ（登録商標）ＲＡＭ（ＤＲＲＡＭ）のような多くの形態に利用可能である。ある実施形態のメモリは、これら及び任意のその他のタイプのメモリに限定されることなく、備えるつもりとされる。
【００３６】
高速ネットワーク・エントリ及びネットワーク・リエントリのための典型的な帯域予約
ｍａｐに基づく要求割当多元接続（ＤＡＭＡ）システムにおいて、各ネットワーク・エントリ・ステージは、基地局に無線（ＯＴＡ）メッセージを送信する前に、加入者局（ＳＳ）による帯域許可（ＢＧ）メッセージの受信と、帯域リクエスト（ＢＲ）メッセージの送信とを伴う。ＢＲ-ＢＧメッセージ交換は、割当てられたアップリンクリソースを示す、符号分割多元接続（ＣＤＭＡ）帯域リクエスト送信、ＣＤＭＡ割当受信、帯域リクエストメッセージ送信、及び帯域許可メッセージの受信を含んでもよい。
【００３７】
本開示のある実施形態は、ＭＡＰに基づく要求割当多元接続通信システムのためにネットワーク・エントリ及びネットワーク・リエントリ遅延を著しく減らしてもよい技術を提供する。
【００３８】
本明細書に提供されるある実施形態は、ＳＳが、ネットワーク・エントリ又はネットワーク・リエントリの間に利用するための次のシーケンスを知っていると仮定する。全ての規格が与えられたコンディションに従うために決定論的なシーケンスを指定するので、この仮定が規格プロトコルであると思ってもよい。
【００３９】
図３は、本明細書に示すある実施形態にしたがって、ＳＳリクエスティング帯域予約について動作例３００を例証する。３０２において、ＳＳは、アップリンク割当のための帯域予約（ＢＷ-ＲＳＶＰ）のためのリクエストを含む、リクエスト（ＲＥＱ）メッセージを送信する。
【００４０】
本開示のある実施形態については、ＲＥＱメッセージは、ＢＳに送信される１つの次のマネジメントメッセージ（換言すると、リクエストメッセージ）のための帯域予約情報を含んでもよい。このアプローチは、本明細書で相互帯域予約（ＩＢＷ-ＲＳＶＰ）と称される。
【００４１】
ある実施形態については、ＳＳは、１つのマネジメントＲＥＱメッセージにおいてＢＳに送信される全ての次のマネジメントメッセージのために帯域予約情報を送信してもよい。このアプローチは、本明細書で非相互帯域予約（ＮＢＷ-ＲＳＶＰ）と称される。
【００４２】
３０４において、ＳＳは、次のマネジメントメッセージのためにアップリンク割当を包含する、ダウンリンク・サブフレームにおいてＵＬ-ＭＡＰメッセージ及びレスポンスメッセージを受信する。３０６において、ＳＳは、アップリンク割当にしたがって、その後のマネジメントメッセージを送信する。
【００４３】
１つの実施形態において、帯域予約情報は、タイプ・レングス・バリュー（ＴＬＶ）形式を用いて、媒体アクセス制御（ＭＡＣ）マネジメントメッセージのペイロードに埋め込まれてもよい。例えば、帯域予約情報は、ベンダ特有のＴＬＶを用いてもよい。
【００４４】
帯域予約情報は、任意のタイプのＭＡＣマネジメントメッセージに含まれてもよい。例えば、ネットワーク・エントリ又はリエントリの間に、帯域予約は、レンジング・リクエスト（ＲＮＧ_ＲＥＱ）メッセージ、ＳＳ基本性能リクエスト（ＳＢＣ_ＲＥＱ）メッセージ、個人鍵マネジメントリクエスト（ＰＫＭ_ＲＥＱ）メッセージ、登録リクエスト（ＲＥＧ_ＲＥＱ）メッセージ、又はダイナミック・サービス加算／変更／削除リクエスト（ＤＳＡ_ＲＥＱ、ＤＳＣ_ＲＥＱ、ＤＳＤ_ＲＥＱ）メッセージに含まれてもよい。
【００４５】
図４は、ＳＳへのアップリンク割当を含む、レスポンスメッセージを送るＢＳについて動作例４００を例証する。４０２において、ＢＳは、アップリンク割当のための帯域予約を含む、マネジメントリクエストメッセージを受信する。帯域予約は、ＢＳに送信される全ての次のマネジメントメッセージ又は１つの次のマネジメントメッセージのためのどちらか一方であってもよい。４０４において、ＢＳは、ＳＳへのその後のマネジメントメッセージのためのアップリンク割当を包含する、レスポンスメッセージ及びＵＬ-ＭＡＰメッセージを送信する。４０６において、ＢＳは、アップリンク割当にしたがって、次のマネジメントメッセージを受信する。
【００４６】
図５は、本明細書に示すある実施形態にしたがって、相互帯域リクエスト予約についてメッセージ交換例を例証する。ＩＢＷ-ＲＳＶＰにおいて、ＳＳは、送信される次のメッセージのための帯域予約を含んでもよいリクエストメッセージを送信する。例えば、示されるように、ＸＸＸ_ＲＥＱメッセージ５０２は、次のメッセージ（換言すると、ＹＹＹ_ＲＥＱ５０４）のための帯域を予約してもよい。ある実施形態については、ＳＳは、帯域予約情報において次のマネジメントメッセージを送るために必要とされるフレームオフセット及び多数のバイトを指定してもよい。
【００４７】
ＳＳによって送られるフレームオフセットは、アップリンク内の帯域許可（ＢＧ）オフセットを判定するためにＢＳによって用いられてもよい。それゆえに、ＳＳに帯域を割当てる場合、ＢＳはフレームオフセット及びＭＡＰ最小関連を用いてもよい。割当てられた帯域（換言すると、ＢＧ）は、ＵＬ-ＭＡＰメッセージを通じてＳＳに送られる。例えば、フレームオフセットが０に等しい場合、ＢＧオフセットは、基準内で指定されるパラメータであるＵＬ-ＭＡＰ最小関連に基づいて判定されてもよい。一方、フレームオフセットが０より大きい場合、ＢＳはＢＧオフセットにフレームオフセットを加える。
【００４８】
ＳＳからのＸＸＸ_ＲＥＱメッセージ５０２を受信する上で、ＢＳはＸＸＸ_ＲＥＱメッセージ５０２をパースし、ＸＸＸ_ＲＥＱ５０２メッセージ内に帯域予約（ＢＷ-ＲＳＶＰ）情報があるかどうかを判定する。その間に、ＢＳからの次のＲＥＱメッセージのためのアップリンク割当を受信する前に、ＳＳは、ＳＳの現在の状態情報に基づいてＢＳに送信される次の手順のためのリクエストメッセージを構築してもよい（５０６）。例えば、アップリンク割当を受信するのを待つ間に、ＳＳは、ＹＹＹ_ＲＥＱメッセージを構築してもよい５０６。
【００４９】
ひとたびＢＳがＢＷ_ＲＳＶＰ情報を検出すると、ＢＳは次のＲＥＱメッセージ（例えば、ＹＹＹ_ＲＥＱ５０４）のためにアップリンクリソースを割当てる。ＢＳは、次のマネジメントメッセージを送るために要求されるフレームオフセット及びバイトの数のようなＢＷ-ＲＳＶＰ情報を用い、必要とされたアップリンクリソースをＳＳに割当てる。ＢＳは、ＲＥＱメッセージへのレスポンス（例えば、ＸＸＸ_ＲＳＰメッセージ５０８）と共にＵＬ−ＭＡＰメッセージ５１０を送信することによって割当てられたアップリンクリソースについてＳＳに通知する。
【００５０】
ＩＢＷ-ＲＳＶＰ方法において、ＳＳは、各ＲＥＱメッセージと共に次のメッセージのための帯域を予約してもよい。例えば、ＳＳは、ＹＹＹ_ＲＥＱ５０４メッセージと共にＺＺＺ_ＲＥＱ５１４メッセージのために帯域予約を送信してもよい。加えて、ＳＳは、アップリンク割当を受信するのを待つ間に、ＺＺＺ_ＲＥＱメッセージを構築してもよい５１２。
【００５１】
上記手順は、全ての次のリクエストメッセージについて繰り返されてもよい。各リクエストメッセージにおいて、ＳＳは、次のメッセージのための帯域予約情報を送る。
【００５２】
モバイルＷｉＭＡＸ規格において、フレームＮのためのアップリンク割当は、次のフレーム（換言すると、フレームＮ＋１）に指示される。それゆえに、ＳＳが、フレームＮにおいて、ＵＬ割当とサクセスフル・レスポンス（ＲＳＰ）メッセージとを受信する場合、ＳＳは、次のフレームＮ＋１において次のＲＥＱを送信してもよい。図５に示されるように、ＢＳは、同じフレーム（換言すると、フレームＮ＋１）において、次のリクエストメッセージのためのＸＸＸ_ＲＳＰメッセージ５０８とＵＬ割当メッセージ５１０（換言すると、ＵＬ-ＭＡＰ）とを送信し、ＳＳは、次のフレーム（換言すると、フレームＮ＋２）において、ＹＹＹ_ＲＥＱメッセージ５０４を送信する。
【００５３】
図５及び６において、メッセージＸＸＸ_ＲＥＱ、ＹＹＹ_ＲＥＱ及びＺＺＺ_ＲＥＱは、ＲＮＧ_ＲＥＱ、ＳＢＣ_ＲＥＱ、ＰＫＭ_ＲＥＱ、ＲＥＧ_ＲＥＱ、ＤＳＡ_ＲＥＱ、ＤＳＣ_ＲＥＱ又はＤＳＤ_ＲＥＱのような、任意のタイプのＭＡＣマネジメントメッセージを指してもよい。
【００５４】
各ステージにおける１つのＲＥＱメッセージのためにＢＷ-ＲＳＶＰ情報を相互的に提供するのではなく、ＳＳは帯域のために非相互的にリクエストしてもよい。それゆえに、ＳＳは、１つの帯域予約リクエストメッセージ内の「帯域予約情報のブック」又は複数の次のリクエストメッセージのためのＢＷ-ＲＳＶＰ情報を送信してもよい。
【００５５】
図６は、本明細書に示すある実施形態にしたがって、非相互的帯域予約リクエスト（ＮＢＷ-ＲＳＶＰ）についてメッセージ交換例を例証する。ＮＢＷ-ＲＳＶＰを用いる場合、ＳＳは、ＢＳへの複数の次のリクエストメッセージのためのＢＷ-ＲＳＶＰ情報を指定するＢＷ-ＲＳＶＰブックを送信してもよい。
【００５６】
ある実施形態については、ＢＷ-ＲＳＶＰブックは、性能ネゴシエーション段階の間に送信されてもよい。したがって、図６に示されるように、ＳＳは、ＳＳ基本性能リクエストメッセージ（ＳＢＣ_ＲＥＱ６０２）と共にＢＷ-ＲＳＶＰブックを送信してもよい。ひとたび、ＢＳがＳＢＣ_ＲＥＱメッセージ６０２を受信すると、ＢＳは、ＢＷ-ＲＳＶＰブックがＳＢＣ_ＲＥＱメッセージに含まれるかどうかを判定する。ひとたび、ＢＳがＢＷ-ＲＳＶＰ情報を検出すると、ＢＳは、ブックに指定される情報、すなわち複数の次のメッセージのそれぞれのために要求されるバイトの数のような情報をセーブする。ＢＳは、ＳＳから送信される次のリクエストメッセージの組のためのＵＬ割当をスケジュールするために帯域予約ブック内の情報を用いてもよい。ひとたび、情報がセーブされると、ＢＳは、ブッキング性能が認められるＳＳに通知するためにＳＢＣ_ＲＳＰ６０４を送信する。ＳＢＣ_ＲＳＰメッセージと共に、ＢＳは、次のＲＥＱメッセージ（ＸＸＸ_ＲＥＱ６０６）のためのアップリンク割当をＳＳに送る。
【００５７】
その後、ＢＳが各ＭＡＣマネジメントＲＥＱメッセージへの応答をＳＳに送る場合、ＢＳは送信される次のＲＥＱのために（ＵＬ-ＭＡＰによって）アップリンクリソースを割当てる。ＢＳは、次のメッセージにアップリンクリソースを割当てるために次のメッセージにとって必要とされるバイトの数やフレームオフセットのような、セーブされたＢＷ-ＲＳＶＰ情報ブック内の情報を用いてもよい。示されるように、ＳＳがＸＸＸ_ＲＳＰ６１４を受信する場合、ＳＳは、送信される次のリクエストメッセージ（ＹＹＹ_ＲＥＱ６０８）のためのＵＬ割当を指定する、ＵＬ-ＭＡＰ６１０を送るかどうかを判定する。
【００５８】
ＵＬ-ＭＡＰ６１０メッセージが検出される場合、ＳＳは、ＵＬ-ＭＡＰ６１０メッセージによって指定されるＵＬ割当を用いる次のＲＥＱメッセージ（換言すると、ＹＹＹ_ＲＥＱ６０８）を送る。示されるように、次のメッセージについての帯域予約情報が帯域予約ブックからＢＳによって既に知られるので、ＹＹＹ_ＲＥＱメッセージは、次のリクエストメッセージ（例えば、ＺＺＺ_ＲＥＱ６１２）のためにＢＷ-ＲＳＶＰを送ることなしに送られてもよい。逆に、ＩＢＷ-ＲＳＶＰ方法において、ＳＳは、現在のリクエストメッセージを備えるその後のメッセージの各々のために帯域予約情報を送信してもよい。
【００５９】
典型的な数理的な記載
全ての標準シーケンス及び帯域リクエスト-帯域許可（ＢＲ-ＢＧ）処理を考慮に入れると、全ネットワーク・エントリ及びネットワーク・リエントリ遅延は、以下のように計算されてもよい。
【数１】
0005301677.tif 000002
【数２】
0005301677.tif 000003
【数３】
0005301677.tif 000004
【数４】
0005301677.tif 000005
【数５】
0005301677.tif 000006
【００６０】
上述した技術を用いることによって、各ネットワーク・エントリ及びネットワーク・リエントリ・ステージにおける帯域リクエスト／帯域許可メッセージ交換からの遅延が減らされてもよい。例えば、ＲＳＰを受信することと次のＲＥＱを送信することとの間の遅延は、モバイルＷｉＭＡＸにおいて４０ｍｓである８フレームを典型的に用いうる。この例は、ＢＳが、帯域リクエスト及び許可のために現実的に達成可能なベストケース・シナリオである、１フレーム中の帯域リクエスト処理及びスケジューリングを終了しうる仮定に基づいている。
【００６１】
上記記載の提案された帯域予約技術において、図５-６に示されるように、遅延は、モバイルＷｉＭＡＸのための１０ｍｓに等しく、２フレーム減らしてもよい。この遅延は、ＩＥＥＥ８０２．１６ｅ／モバイルＷｉＭＡＸ規格を破ることなく達成されうる最小限度である。提案された技術と従来技術を用いるベストケース・シナリオとを比較すると、リクエスト及びレスポンス・ハンドシェイキング・メッセージの各組毎に６フレームがセーブされてもよい。
【００６２】
提案された帯域予約技術は、ネットワーク・エントリ及びネットワーク・リエントリを必要とした各ステージに適用されてもよい。エラー又は例外がない状況において、ＳＳは、ネットワーク・エントリ手順を終えるために無線メッセージハンドシェイクを通じて、８シーケンスＲＥＱ及びＲＳＰマネジメントを完了してもよい。この場合、２４０ｍｓ（８＊６フレーム）の遅延がセーブされてもよい。エラーのために手順に伴われるより多くのハンドシェイクがあり、より多くのサービス・フロー作成、レジストレーション、セキュリティ・キー設定、及び／またはネゴシエーションにおける更なる処理がある場合、提案された技術を用いる利得は直線的に増加してもよい。
【００６３】
上述した方法の様々な動作は、図に例証されるミーンズ・プラス・ファンクション・ブロックに対応する、様々なハードウェア、及び／または、ソフトウェア・コンポーネント及び／またはモジュールによって実行されてもよい。一般的に、対応するよく似たミーンズ・プラス・ファンクション図をもつ図に例証される方法があり、動作ブロックは、類似する番号をもつミーンズ・プラス・ファンクション・ブロックに対応する。例えば、図３及び４に例証される動作３００及び４００は、図３Ａ及び４Ａに例証されるミーンズ・プラス・ファンクション・ブロック３００Ａ及び４００Ａに対応する。
【００６４】
本明細書に用いられるように、「判定する」という用語は幅広い動作を包含する。例えば、「判定する」という用語は、計算すること、算出すること、処理すること、抽出すること、研究すること、見ること（例えば、テーブル、データベース又は別のデータ構成を見ること）、確かめること等を含んでもよい。また、「判定する」という用語は、受信すること（例えば、情報を受信すること）、アクセスすること（例えば、メモリ内のデータにアクセスすること）等を含んでもよい。また、「判定する」という用語は、分解すること、選択すること、選ぶこと、設立すること等を含んでもよい。
【００６５】
情報及び信号は、様々な異なる技術及び技法のうちの任意の１つを用いて表されてもよい。例えば、上記記載を通して参照されうるデータ、命令、コマンド、情報、及び信号は、電圧、電流、電磁波、磁界あるいは磁気粒子、光場あるいは光粒子、又はそれらの任意の組合せによって表されてもよい。
【００６６】
本開示に関連して示された様々な例示的論理ブロック、モジュール及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス（ＰＬＤ）、ディスクリート・ゲートあるいはトランジスタ・ロジック、ディスクリート・ハードウェア部品、又は本明細書に示す機能を実行するために設計された上記何れかの組合せを用いて実現または実行されてもよい。汎用プロセッサとしてマイクロプロセッサを用いることが可能であるが、代わりに、営利的に利用可能なプロセッサ、コントローラ、マイクロコントローラまたは状態機器を用いることも可能である。プロセッサは、例えば、ＤＳＰとマイクロプロセッサとの組合せ、複数のマイクロプロセッサ、ＤＳＰコアに接続された１つまたは複数のマイクロプロセッサ、またはこのような任意の構成である計算デバイスの組合せとして実現することも可能である。
【００６７】
本明細書における開示に関連して記述された方法やアルゴリズムのステップは、ハードウェアによって直接、プロセッサによって実行されるソフトウェア・モジュールによって、又は、これらの組合せによって具現化されうる。ソフトウェア・モジュールは、当業者に知られる任意の記憶媒体に収納されてもよい。用いられてもよい記憶媒体のいくつかの例は、ランダム・アクセス・メモリ（ＲＡＭ）、読出専用メモリ（ＲＯＭ）、フラッシュメモリ、ＥＰＲＯＭメモリ、ＥＥＰＲＯＭメモリ、レジスタ、ハードディスク、リムーバルディスク、ＣＤ-ＲＯＭ等を含む。ソフトウェア・モジュールは、単一の命令または多数の命令を備えてもよいし、いくつかの異なるコード・セグメンツを通じて、異なるプログラム間で、及び複数の記憶媒体を介して配布されてもよい。記憶媒体は、プロセッサに連結されてもよい。プロセッサは、情報を記憶媒体から読出し、記憶媒体に情報を書込みうる。また、記憶媒体はプロセッサに集積されてもよい。
【００６８】
本明細書に開示される方法は、記載された方法を達成するために、一またはそれ以上のステップあるいは動きを備える。方法ステップ及び／または動きは、特許請求の範囲から逸脱することなくお互いに置換えられてもよい。換言すると、ステップまたは動きの特定の順序が指定されない限り、特定のステップ及び／または動きの順序及び／または用途は、特許請求の範囲から逸脱することなく変更されてもよい。
【００６９】
説明された機能は、ハードウェア、ソフトウェア、ファームウェアまたはそれらの任意の組合せによって実現されてもよい。ソフトウェアによって実現される場合、機能は、コンピュータ読取可能媒体上の１つまたは複数の命令として格納されてもよい。記憶媒体は、コンピュータによってアクセス可能である任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭあるいはその他の光ディスク記憶媒体、磁気ディスク記憶媒体あるいはその他の磁気記憶媒体、または、コンピュータによってアクセス可能であり、命令またはデータ構成の形式で望まれるプログラム・コードを搬送または格納するために用いられることができるその他任意の媒体を備えることができる。本明細書で用いられるディスク（disk）及びディスク（disc）は、コンパクト・ディスク（disc）（ＣＤ）、レーザ・ディスク（disc）、デジタル・バーサタイル・ディスク（disc）（ＤＶＤ）、フロッピー（登録商標）ディスク（disk）、及びブルーレイ（登録商標）ディスク（disc）を含み、ディスク（disk）は通常磁気的に再生するのに対し、ディスク（disc）はレーザによって光的にデータを再生する。
【００７０】
ソフトウェアまたは命令は伝送媒体を通じて送信されてもよい。例えば、ソフトウェアが、ウェブサイト、サーバ、または、同軸ケーブル、光ファイバ・ケーブル、ツイスト・ペア、ＤＳＬ、あるいは例えば赤外線、無線、及びマイクロ波のような無線技術を用いるその他の遠隔ソースから送信される場合、同軸ケーブル、光ファイバ・ケーブル、ツイスト線ペア、ＤＳＬ、または、例えば赤外線、無線、及びマイクロ波のような無線技術は、伝送媒体の定義に含まれる。
【００７１】
更に、本明細書に記載される技術及び方法を実行するためのモジュール及び／またはその他の適切な手段は、適用できるような基地局及び／またはユーザ端末によって更新されてもよい、及び／または、別の方法で得られてもよい。例えば、このようなデバイスは、本明細書に記載される方法を実行するための送信手段を促進するために、サーバに連結されてもよい。また、本明細書に記載される様々な方法は、記憶媒体（例えば、ＲＡＭ、ＲＯＭ、コンパクト・ディスク（ＣＤ）又はフロッピーディスクのような物理記憶媒体等）によって提供されてもよい。ユーザ端末及び／または基地局は、デバイスに記憶手段を提供することで、または、デバイスに記憶手段を連結することで様々な方法を取得しうる。更に、本明細書に記載される技術及び方法を提供するための任意のその他の適切な技術は利用されてもよい。
【００７２】
特許請求の範囲が上記例証された明確な構成及びコンポーネントに限定されないことは理解されるべきである。様々な改良例、変更例、及び変形例が、特許請求の範囲から逸脱することなく上述した装置及び方法の詳細、動作、及び組合せで作られてもよい。
【００７３】
前述は本開示の特定の実施形態に向けられているが、本開示のその他の及び更なる実施形態は、それらの基本的な範囲から逸脱することなく考案されてもよい。それらの範囲は、以下の特許請求の範囲によって決定される。
以下に、本願出願の当初の特許請求の範囲に記載された発明を付記する。
［Ｃ１］
ワイヤレス通信システム内の加入者局によってアップリンク帯域をリクエストするための方法であって、
送信される少なくとも１つの次のリクエストメッセージのための少なくとも１つのアップリンク割当のために帯域予約を含むリクエストメッセージを送信することと、
レスポンスメッセージと、前記少なくとも１つの次のリクエストメッセージのための少なくとも１つのアップリンク割当とを受信することと、
前記レスポンスメッセージによって受信された前記少なくとも１つのアップリンク割当にしたがって、前記少なくとも１つの次のリクエストメッセージを送信することと
を具備する方法。
［Ｃ２］
前記送信されるリクエストメッセージは、送信される複数の次のリクエストメッセージのための前記帯域予約を指定する帯域予約ブックを含む、Ｃ１記載の方法。
［Ｃ３］
前記帯域予約ブックは、性能ネゴシエーション・ステージの間に、前記リクエストメッセージ内で送信される、Ｃ２記載の方法。
［Ｃ４］
前記少なくとも１つのアップリンク割当は、一またはそれ以上のダウンリンク・サブフレーム内の少なくとも１つのＵＬ−ＭＡＰメッセージによって受信される、Ｃ１記載の方法。
［Ｃ５］
前記帯域予約は、前記少なくとも１つの次のリクエストメッセージを送信するために要求される多数のバイトを含む、Ｃ１記載の方法。
［Ｃ６］
前記帯域予約は、タイプ・レングス・バリュー（ＴＬＶ）形式を用いる前記リクエストメッセージのペイロードに埋め込まれる、Ｃ１記載の方法。
［Ｃ７］
ワイヤレス通信システム内の加入者局へのアップリンク帯域を割当てるための方法であって、
送信される少なくとも１つの次のリクエストメッセージのための少なくとも１つのアップリンク割当のために帯域予約を含むリクエストメッセージを受信することと、
レスポンスメッセージと、前記少なくとも１つの次のリクエストメッセージのための少なくとも１つのアップリンク割当とを送信することと、
前記レスポンスメッセージによって送信された前記少なくとも１つのアップリンク割当にしたがって、前記少なくとも１つの次のリクエストメッセージを受信することと
を具備する方法。
［Ｃ８］
前記受信されるリクエストメッセージは、送信される次のリクエストメッセージの組のための前記帯域予約を指定する帯域予約ブックを含む、Ｃ７記載の方法。
［Ｃ９］
前記帯域予約ブックは、性能ネゴシエーション・ステージの間に、前記リクエストメッセージ内で受信される、Ｃ８記載の方法。
［Ｃ１０］
前記少なくとも１つのアップリンク割当は、一またはそれ以上のダウンリンク・サブフレーム内の少なくとも１つのＵＬ−ＭＡＰメッセージによって送信される、Ｃ７記載の方法。
［Ｃ１１］
前記帯域予約は、前記少なくとも１つの次のリクエストメッセージを送信するために要求される多数のバイトを含む、Ｃ７記載の方法。
［Ｃ１２］
前記レスポンスメッセージ及びアップリンク割当は、同じフレームで送信される、Ｃ７記載の方法。
［Ｃ１３］
ワイヤレス通信システム内の加入者局によってアップリンク帯域をリクエストするための装置であって、
送信される少なくとも１つの次のリクエストメッセージのための少なくとも１つのアップリンク割当のために帯域予約を含むリクエストメッセージを送信するための論理と、
レスポンスメッセージと、前記少なくとも１つの次のリクエストメッセージのためのアップリンク割当とを受信するための論理と、
前記レスポンスメッセージによって受信された前記少なくとも１つのアップリンク割当にしたがって、前記少なくとも１つの次のリクエストメッセージを送信するための論理と
を具備する装置。
［Ｃ１４］
前記送信されるリクエストメッセージは、送信される複数の次のリクエストメッセージのための前記帯域予約を指定する帯域予約ブックを含む、Ｃ１３記載の装置。
［Ｃ１５］
前記帯域予約ブックは、性能ネゴシエーション・ステージの間に、前記リクエストメッセージ内で送信される、Ｃ１４記載の装置。
［Ｃ１６］
前記少なくとも１つのアップリンク割当は、一またはそれ以上のダウンリンク・サブフレーム内の少なくとも１つのＵＬ−ＭＡＰメッセージによって受信される、Ｃ１３記載の装置。
［Ｃ１７］
前記帯域予約は、前記少なくとも１つの次のリクエストメッセージを送信するために要求される多数のバイトを含む、Ｃ１３記載の装置。
［Ｃ１８］
前記帯域予約は、タイプ・レングス・バリュー（ＴＬＶ）形式を用いて前記リクエストメッセージのペイロードに埋め込まれる、Ｃ１３記載の装置。
［Ｃ１９］
ワイヤレス通信システム内の加入者局へのアップリンク帯域を割当てるための装置であって、
送信される少なくとも１つの次のリクエストメッセージのための少なくとも１つのアップリンク割当のために帯域予約を含むリクエストメッセージを受信するための論理と、
レスポンスメッセージと、前記少なくとも１つの次のリクエストメッセージのために少なくとも１つのアップリンク割当とを送信するための論理と、
前記レスポンスメッセージによって送信された前記少なくとも１つのアップリンク割当にしたがって、前記少なくとも１つの次のリクエストメッセージを受信するための論理と
を具備する装置。
［Ｃ２０］
前記リクエストメッセージは、送信される次のリクエストメッセージの組のための前記帯域予約を指定する帯域予約ブックを含む、Ｃ１９記載の装置。
［Ｃ２１］
前記帯域予約ブックは、性能ネゴシエーション・ステージの間に、前記リクエストメッセージ内で受信される、Ｃ２０記載の装置。
［Ｃ２２］
前記少なくとも１つのアップリンク割当は、一またはそれ以上のダウンリンク・サブフレーム内の少なくとも１つＵＬ−ＭＡＰメッセージによって送信される、Ｃ１９記載の装置。
［Ｃ２３］
前記帯域予約は、前記少なくとも１つの次のリクエストメッセージを送信するために要求される多数のバイトを含む、Ｃ１９記載の装置。
［Ｃ２４］
前記レスポンスメッセージ及びアップリンク割当は、同じフレームで送信される、Ｃ１９記載の装置。
［Ｃ２５］
ワイヤレス通信システム内の加入者局によってアップリンク帯域をリクエストするための装置であって、
送信される少なくとも１つの次のリクエストメッセージのための少なくとも１つのアップリンク割当のために帯域予約を含むリクエストメッセージを送信するための手段と、
レスポンスメッセージと、前記少なくとも１つの次のリクエストメッセージのための少なくとも１つのアップリンク割当とを受信するための手段と、
前記レスポンスメッセージによって受信された少なくとも１つのアップリンク割当にしたがって、前記少なくとも１つの次のリクエストメッセージを送信するための手段と
を具備する装置。
［Ｃ２６］
前記送信されるリクエストメッセージは、送信される複数の次のリクエストメッセージについての帯域予約を指定する帯域予約ブックを含む、Ｃ２５記載の装置。
［Ｃ２７］
前記帯域予約ブックは、性能ネゴシエーション・ステージの間に、前記リクエストメッセージ内で送信される、Ｃ２６記載の装置。
［Ｃ２８］
前記少なくとも１つのアップリンク割当は、一またはそれ以上のダウンリンク・サブフレーム内の少なくとも１つのＵＬ−ＭＡＰメッセージによって受信される、Ｃ２５記載の装置。
［Ｃ２９］
前記帯域予約は、前記少なくとも１つの次のリクエストメッセージを送信するために要求される多数のバイトを含む、Ｃ２５記載の装置。
［Ｃ３０］
前記帯域予約は、タイプ・レングス・バリュー（ＴＬＶ）形式を用いて前記リクエストメッセージのペイロードに埋め込まれる、Ｃ２５記載の装置。
［Ｃ３１］
ワイヤレス通信システム内の加入者局へのアップリンク帯域を割当てるための装置であって、
送信される次のリクエストメッセージのための少なくとも１つのアップリンク割当のために帯域予約を含むリクエストメッセージを受信するための手段と、
レスポンスメッセージと、前記少なくとも１つの次のリクエストメッセージのために少なくとも１つのアップリンク割当とを送信するための手段と、
前記レスポンスメッセージによって送信された前記少なくとも１つのアップリンク割当にしたがって、前記少なくとも１つの次のリクエストメッセージを受信するための手段と
を具備する装置。
［Ｃ３２］
前記受信されるリクエストメッセージは、送信されるべき次のリクエストメッセージの組のための前記帯域予約を指定する帯域予約ブックを含む、Ｃ３１記載の装置。
［Ｃ３３］
前記帯域予約ブックは、性能ネゴシエーション・ステージの間に、前記リクエストメッセージ内で受信される、Ｃ３２記載の装置。
［Ｃ３４］
前記少なくとも１つのアップリンク割当は、一またはそれ以上のダウンリンク・サブフレーム内の少なくとも１つのＵＬ−ＭＡＰメッセージによって送信される、Ｃ３１記載の装置。
［Ｃ３５］
前記帯域予約は、前記少なくとも１つの次のリクエストメッセージを送信するために要求される多数のバイトを含む、Ｃ３１記載の装置。
［Ｃ３６］
前記レスポンスメッセージ及びアップリンク割当は、同じフレームで送信される、Ｃ３１記載の装置。
［Ｃ３７］
ワイヤレス通信システム内の加入者局によってアップリンク帯域をリクエストするためのコンピュータプログラム製品であって、そこに記憶される命令を有するコンピュータ可読媒体を備え、前記命令が一またはそれ以上のプロセッサによって実行可能であり、
前記命令は、
送信される少なくとも１つの次のリクエストメッセージのための少なくとも１つのアップリンク割当のために帯域予約を含むリクエストメッセージを送信するための命令と、
レスポンスメッセージと、前記少なくとも１つの次のリクエストメッセージのための少なくとも１つのアップリンク割当とを受信するための命令と、
前記レスポンスメッセージによって受信された前記少なくとも１つのアップリンク割当にしたがって、前記少なくとも１つの次のリクエストメッセージを送信するための命令と
を具備する、コンピュータプログラム製品。
［Ｃ３８］
前記送信されるリクエストメッセージは、送信される複数の次のリクエストメッセージのための前記帯域予約を指定する帯域予約ブックを含む、Ｃ３７記載のコンピュータプログラム製品。
［Ｃ３９］
前記帯域予約ブックは、性能ネゴシエーション・ステージの間に、前記リクエストメッセージ内で送信される、Ｃ３８記載のコンピュータプログラム製品。
［Ｃ４０］
前記少なくとも１つのアップリンク割当は、一またはそれ以上のダウンリンク・サブフレーム内の少なくとも１つのＵＬ−ＭＡＰメッセージによって受信される、Ｃ３７記載のコンピュータプログラム製品。
［Ｃ４１］
前記帯域予約は、前記少なくとも１つの次のリクエストメッセージを送信するために要求される多数のバイトを含む、Ｃ３７記載のコンピュータプログラム製品。
［Ｃ４２］
前記帯域予約は、タイプ・レングス・バリュー（ＴＬＶ）形式を用いて前記リクエストメッセージのペイロードに埋め込まれる、Ｃ３７記載のコンピュータプログラム製品。
［Ｃ４３］
ワイヤレス通信システム内の加入者局へのアップリンク帯域を割当てるためのコンピュータプログラム製品であって、そこに記憶される命令を有するコンピュータ可読媒体を備え、前記命令が一またはそれ以上のプロセッサによって実行可能であり、
前記命令は、
送信される次のリクエストメッセージのための少なくとも１つのアップリンク割当のために帯域予約を含むリクエストメッセージを受信するための命令と、
レスポンスメッセージと、前記少なくとも１つの次のリクエストメッセージのための少なくとも１つのアップリンク割当とを送信するための命令と、
前記レスポンスメッセージによって送信された前記少なくとも１つのアップリンク割当にしたがって、前記少なくとも１つの次のリクエストメッセージを受信するための命令と
を具備する、コンピュータプログラム製品。
［Ｃ４４］
前記受信されるリクエストメッセージは、送信される次のリクエストメッセージの組のための前記帯域予約を指定する帯域予約ブックを含む、Ｃ４３記載のコンピュータプログラム製品。
［Ｃ４５］
前記帯域予約ブックは、性能ネゴシエーション・ステージの間に、前記リクエストメッセージ内で受信される、Ｃ４４記載のコンピュータプログラム製品。
［Ｃ４６］
前記少なくとも１つのアップリンク割当は、一またはそれ以上のダウンリンク・サブフレーム内の少なくとも１つのＵＬ−ＭＡＰメッセージによって送信される、Ｃ４３記載のコンピュータプログラム製品。
［Ｃ４７］
前記帯域予約は、前記少なくとも１つの次のリクエストメッセージを送信するために要求される多数のバイトを含む、Ｃ４３記載のコンピュータプログラム製品。
［Ｃ４８］
前記レスポンスメッセージ及びアップリンク割当は、同じフレームで送信される、Ｃ４３記載のコンピュータプログラム製品。
【図１】
0005301677.tif 000007
【図２】
0005301677.tif 000008
【図３】
0005301677.tif 000009
【図３Ａ】
0005301677.tif 000010
【図４】
0005301677.tif 000011
【図４Ａ】
0005301677.tif 000012
【図５】
0005301677.tif 000013
【図６】
0005301677.tif 000014